(57)【要約】負荷構造のための複合プルトゥルード型材の選択および配達の方法であって、負荷構造の負荷要求と寸法を入力し、ホームページのアドレスを指定して、データベースに含まれる複合プルトゥルード型材のリストから特定の型材を選択し、負荷構造の寸法に対応する型材の特定の寸法を定義し、特定の型材の負荷能力を計算するためにホームページから計算プログラムのアドレスを指定し、計算した負荷能力を負荷構造の負荷要求と比較して、負荷要求が満たされているか否かを決定する。負荷要求が満たされている場合は、計算プログラムから肯定確認応答が送出され、満たされていない場合は、否定確認応答が送出されるとともに、計算プログラムは、リストから代替型材を選択し、その代替型材の負荷能力を計算し、計算した負荷能力を負荷要求と比較し、負荷要求を満たすリストから代替型材を選択し、代替型材を特定するデータを上記否定確認応答と一緒に送出する。また、この方法は、上記特定の型材または代替型材を配達させるための注文をホームページに返信し、型材の工場から注文された型材が配達される。
2006522390.tif 000002
【特許請求の範囲】
【請求項１】
負荷構造のための複合プルトゥルード型材の選択および配達の方法において、次のi)〜viii)の各ステップ
i) 上記負荷構造の負荷要求と寸法を供給し、
ii) インターネット接続と入力手段と出力手段を有するコンピュータと、
ホームページ、複合プルトゥルード型材のリストを含むデータベースおよび上記リストの特定の寸法をもつ任意の複合プルトゥルード型材の負荷能力を計算する計算プログラム含み、インターネット接続を有し、上記ホームページは上記データベースと計算プログラムへのリンクを有するサーバとを備え、
iii) 上記ホームページのアドレスを指定し、上記データベースに含まれる複合プルトゥルード型材のリストから特定の複合プルトゥルード型材を選択し、上記負荷構造の寸法に対応する選択した複合プルトゥルード型材の寸法を定義し、
iv) 上記ホームページから上記計算プログラムのアドレスを指定して、上記特定の寸法の特定の複合プルトゥルード型材の負荷能力を計算し、計算した負荷能力を上記負荷構造の負荷要求と比較して、この負荷要求が満たされたか否かを決定し、
v) 上記ステップiv)の比較で負荷要求が満たされた場合、上記計算プログラムからホームページを経て肯定確認応答を送り、あるいは、上記ステップiv)の比較で負荷要求が満たされない場合、上記計算プログラムが、上記リストから上記特定の寸法をもつ代わりの複合プルトゥルード型材を選択し、選択した複合プルトゥルード型材の負荷能力を計算し、計算した負荷能力を上記負荷構造の負荷要求と比較して、上記特定の寸法をもって上記負荷要求を満たす代替複合プルトゥルード型材を上記リストから選択し、この代替複合プルトゥルード型材を特定するデータを、否定確認応答と一緒に上記コンピュータに送り、
vi) 上記肯定確認応答あるいは上記否定確認応答を上記データと一緒に上記コンピュータから出力し、
vii) 上記特定の複合プルトゥルード型材の配達のための注文を、あるいは上記コンピュータからの上記データと一緒に否定確認応答を上記ホームページに返し、
viii) 上記特定の複合プルトゥルード型材あるいは上記代替複合プルトゥルード型材を工場から配達する
を備えたことを特徴とする方法。
【請求項２】
請求項１に記載の方法において、上記計算プログラムは、上記ステップiv)の比較で負荷要求が満たされない場合、上記リストから上記特定の寸法をもつ代わりの複合プルトゥルード型材を選択し、選択した複合プルトゥルード型材の負荷能力を計算し、計算した負荷能力を上記負荷構造の負荷要求と比較して、上記特定の寸法をもって上記負荷要求を満たす代替複合プルトゥルード型材を上記リストから選択し、この代替複合プルトゥルード型材を特定するデータを否定確認応答と一緒に、上記コンピュータからの上記肯定確認応答として送ることを特徴とする方法。
【請求項３】
請求項１または２に記載の方法において、上記ステップi)は、静的システムの定義、上記負荷構造に加わる負荷の組み合わせの定義、単純支持または弾性支持、固定または取付けあるいは代替の蝶番またはヒンジ支持を含む上記負荷構造の支持の定義を含む複数のサブステップを更に備えることを特徴とする方法。
【請求項４】
請求項３に記載の方法において、上記データベースは、複合プルトゥルード型材と組み合わせて用いる固定の追加リストを更に有し、上記計算プログラムは、上記ステップiv)およびv)で決定された特定の複合プルトゥルード型材と組み合わせて上記追加リストの任意の固定の負荷能力を計算すること特徴とする方法。
【請求項５】
請求項３または４に記載の方法において、上記データベースは、接着接合またはボルト接合の補助リストを更に有し、上記計算プログラムは、これらの接合および／または上記追加リストの任意の固定と組み合わせて用いる任意の上記複合プルトゥルード型材の接着接合またはボルト接合の負荷能力を計算することを特徴とする方法。
【請求項６】
請求項１乃至５のいずれか１つに記載の方法において、上記データベースは、同じ全体的幾何学形状をもつ複合プルトゥルード型材のクラスタで編成された複合プルトゥルード型材の上記リストを更に有し、上記クラスタは、複合プルトゥルード型材の負荷能力が増加する順あるいは減少する順に整理して編成されていることを特徴とする方法。
【請求項７】
請求項１乃至６のいずれか１つに記載の方法において、上記計算プログラムは、上記ステップiv)における比較が負荷要求を満たさなかった場合、より高い負荷能力をもつ上記特定の複合プルトゥルード型材のクラスタから、代替の複合プルトゥルード型材を選択することを特徴とする方法。
【請求項８】
請求項１乃至７のいずれか１つに記載の方法において、上記計算プログラムは、上記ステップiv)における比較が負荷要求を満たした場合、より低い負荷能力をもつ上記特定の複合プルトゥルード型材のクラスタから、代替の複合プルトゥルード型材を選択し、この特定の代替複合プルトゥルード型材からなる負荷構造の代替の負荷能力を計算し、計算した負荷能力を上記負荷構造の負荷要求と比較して、負荷要求が満たされているか否かを決定する一方、上記ステップv)は、ステップiv)における上記代替複合プルトゥルード型材による比較が負荷要求を満たしている場合、この代替複合プルトゥルード型材に関する肯定確認応答を、上記計算プログラムからホームページを経て送出し、あるいは、ステップiv)における上記代替複合プルトゥルード型材による比較が負荷要求を満たしていない場合、この代替複合プルトゥルード型材に関する肯定確認応答を、上記計算プログラムからホームページを経て送出しないことを特徴とする方法。
【請求項９】
請求項１乃至８のいずれか１つに記載の方法において、上記ステップv)における送出は、上記ステップiv)で決定された特定の負荷能力に関する情報を送出すること、および上記肯定確認応答あるいは上記否定確認応答とともに上記情報を出力することを更に含むことを特徴とする方法。
【請求項１０】
請求項１乃至９のいずれか１つに記載の方法において、上記ステップvi)は、上記特定の複合プルトゥルード型材あるいは上記代替複合プルトゥルード型材からなる負荷構造の図面を出力することを更に含むことを特徴とする方法。
【請求項１１】
請求項１乃至１０のいずれか１つに記載の方法において、上記特定の複合プルトゥルード型材あるいは上記代替複合プルトゥルード型材を上記ホームページから在庫管理プログラムへ通信し、この在庫管理プログラムは、上記特定の複合プルトゥルード型材あるいは上記代替複合プルトゥルード型材の在庫と配達時刻を検査し、在庫と配達時刻に関する情報を上記ホームページに戻すことを特徴とする方法。
【請求項１２】
請求項１乃至１１のいずれか１つに記載の方法において、上記特定の複合プルトゥルード型材あるいは上記代替複合プルトゥルード型材を上記ホームページから簿記プログラムへ通信し、この簿記プログラムは、上記特定の複合プルトゥルード型材あるいは上記代替複合プルトゥルード型材の価格および値引きオプションを検査し、価格および値引きオプションに関する情報を上記ホームページに戻すことを特徴とする方法。
【請求項１３】
請求項１乃至１２のいずれか１つに記載の方法において、上記負荷構造の寸法を決定する準備の測定ステップと、負荷構造の負荷要求を決定する更なる準備のステップを更に含むことを特徴とする方法。
【請求項１４】
請求項１乃至１３のいずれか１つに記載の方法において、上記特定の複合プルトゥルード型材または代替複合プルトゥルード型材から上記負荷構造を建設する最終のステップを更に含むことを特徴とする方法。
【発明の詳細な説明】
【技術分野】
【０００１】
本発明は、橋梁や家屋などの負荷構造を設計し、建設する新規な技術に関し、より詳しくは、複合プルトゥルード型材を選択し、配達する新規な方法に関する。
【背景技術】
【０００２】
最近１０年の間に、複合プルトゥルード材、特に型材は、著しく増加し、複合プルトゥルージョンによって製造された軽量、高強度、耐腐食性の構造材が、従来の鉄筋コンクリートや木造の構造物に取って代われるのみならず、類似の鉄筋コンクリート製の従来構造物に比して非常に有利な特性をもつ軽量かつ高強度な構造物を可能にすることを、工業界は実感してきた。
【０００３】
出願人は、この１０年間に数々の用途に使える負荷構造材を供給しており、その用途を挙げれば、人または自転車用の橋、フェリーの桟橋、海洋掘削装置の連絡橋、桟橋、工業プラントにおける人道橋、冷却塔、グレーチング、梯子、軌条システム、ビルの外装等である。欧州における複合プロトゥルージョン型材の主要メーカーの１つである出願人は、顧客用に建設マニュアルを配布しており、このマニュアルは、当社が供給できる種々の型材や取付部品の記載を含んでいる。
【発明の開示】
【発明が解決しようとする課題】
【０００４】
複合プロトゥルード型材から作られる橋梁や上述の構造物などの負荷構造の従来の設計および建設は、作るべき構造の基準を与え、複合プロトゥルード型材から建設マニュアルなどを用いて寸法を決め、設計を行い、最終の負荷構造の負荷能力をチェックし、複合プルトゥルード型材の配達または注文をプロトゥルージョン工場に要求することを包含する。複合プロトゥルード型材から負荷構造を寸法決めし、設計し、建設する技術は、数々の個々の分離したステップを含み、ステップの幾つかは、インターネット上で注文のメーリングを含むコンピュータの使用によって行われる。しかし、上記技術は、最終的な負荷構造が間違って寸法決めされ、設計されるのを防止する負荷能力の信頼できて安全なチェックを含んでいない。間違った設計の例は、コペンハーゲン市に近いバレラップにあるジーメンスアレーナという名の自転車競技場で最近起きた崩壊である。
【０００５】
本発明の目的は、負荷構造が間違って設計される危険を合理的な程度に無くせる寸法決めと設計のルーチンを含み、負荷構造のための複合プルトゥルード型材の選択および配達の新規な技術を提供することにある。
【課題を解決するための手段】
【０００６】
本発明の利点は、負荷構造のための複合プルトゥルード型材の選択および配達の新規な方法が、オンラインによる寸法決め、設計、注文および得るべき配達確認を可能にし、間違って設計された負荷構造のための型材の配達を無くせるコンピュータによって総ての手法が実行できるようになることである。
【０００７】
本発明の特別な特徴は、負荷構造のための複合プルトゥルード型材の選択および配達の新規な方法が、技術者をしてオンラインセットアップにおいて自分のコンピュータを用いて種々の複合プルトゥルード型材から問題の負荷構造を寸法決めし、設計することを可能にすることである。上記オンラインセットアップでは、最新の高強度型材が技術者に提示され、問題の負荷構造の負荷能力の確認が、オンラインセットアップで技術者に提示される計算プログラムの絶え間ないアップデートによって保証される。
【０００８】
負荷構造のための複合プルトゥルード型材の選択および配達の新規な方法による更なる利点は、人手による負荷構造の寸法決めと設計に比して、オンラインセットアップの設計セットアップで実行される本来的な最適化ルーチンである。
【０００９】
上記目的、利点および特徴ならびに数々の他の目的および特徴は、後述する詳細な説明で明白になるが、本発明の負荷構造のための複合プルトゥルード型材の選択および配達の方法によって得られる。即ち、本発明の方法は、
負荷構造のための複合プルトゥルード型材の選択および配達の方法において、次のi)〜viii)の各ステップ
i) 上記負荷構造の負荷要求と寸法を供給し、
ii) インターネット接続と入力手段と出力手段を有するコンピュータと、
ホームページ、複合プルトゥルード型材のリストを含むデータベースおよび上記リストの特定の寸法をもつ任意の複合プルトゥルード型材の負荷能力を計算する計算プログラム含み、インターネット接続を有し、上記ホームページは上記データベースと計算プログラムへのリンクを有するサーバとを備え、
iii) 上記ホームページのアドレスを指定し、上記データベースに含まれる複合プルトゥルード型材のリストから特定の複合プルトゥルード型材を選択し、上記負荷構造の寸法に対応する選択した複合プルトゥルード型材の寸法を定義し、
iv) 上記ホームページから上記計算プログラムのアドレスを指定して、上記特定の寸法の特定の複合プルトゥルード型材の負荷能力を計算し、計算した負荷能力を上記負荷構造の負荷要求と比較して、この負荷要求が満たされたか否かを決定し、
v) 上記ステップiv)の比較で負荷要求が満たされた場合、上記計算プログラムからホームページを経て肯定確認応答を送り、あるいは、上記ステップiv)の比較で負荷要求が満たされない場合、上記計算プログラムが、上記リストから上記特定の寸法をもつ代わりの複合プルトゥルード型材を選択し、選択した複合プルトゥルード型材の負荷能力を計算し、計算した負荷能力を上記負荷構造の負荷要求と比較して、上記特定の寸法をもって上記負荷要求を満たす代替複合プルトゥルード型材を上記リストから選択し、この代替複合プルトゥルード型材を特定するデータを、否定確認応答と一緒に上記コンピュータに送り、
vi) 上記肯定確認応答あるいは上記否定確認応答を上記データと一緒に上記コンピュータから出力し、
vii) 上記特定の複合プルトゥルード型材の配達のための注文を、あるいは上記コンピュータからの上記データと一緒に否定確認応答を上記ホームページに返し、
viii) 上記特定の複合プルトゥルード型材あるいは上記代替複合プルトゥルード型材を工場から配達する
を備えたことを特徴とする方法である。
【００１０】
本発明の基本的開示によれば、技術者は、負荷構造のための関連する複合プルトゥルード型材の設計、寸法決め、選択および注文を全体として実行することができ、これらの実行は、負荷構造のために選択された複合プルトゥルード型材の負荷能力の訂正に計算プログラムによる確認を含んでいる。より詳しくは、本発明による新規な技術は、インターネットに基づくオンラインセットアップを備え、このセットアップで、技術者は、設計され、複合プルトゥルード型材から作られる負荷構造の負荷要求と寸法に基づいて、ホームページのアドレスを指定する。この指定により、技術者が利用できる複合プルトゥルード型材のアップデートされたリストを含み、経験的および理論的分析に基づいて現時点にアップデートされた計算プログラムへのリンクと、負荷要求と負荷構造の寸法に基づき、一定の寸法と設計クライテリアを満たすリストから特定の複合プルトゥルード型材の選択を技術者に可能にする結果とを有するデータベースへのアクセスが得られる。また、技術者は、計算プログラムに、選択した特定の複合プルトゥルード型材の負荷能力が負荷構造の負荷要求を満たすか否かを質問する。
【００１１】
計算プログラムは、負荷要求が満たされるか否かを決定し、ホームページからインターネットを経て技術者に負荷要求が満たされたか否かを知らせる。確認応答は、技術者によって操作されるコンピュータへ出力される肯定確認応答あるいは否定確認応答である。否定確認応答が出力される場合、ホームページは、計算プログラムが行った計算に基づき、負荷構造の負荷要求を満たしうる代替複合プルトゥルード型材の存在に関する情報をも技術者に知らせる。そして、技術者は、配達のための注文をホームページに返信し、注文は、ホームページから複合プルトゥルード型材の工場へ送信され、この工場から選択された特定の複合プルトゥルード型材あるいは代替複合プルトゥルード型材が配達される。
【００１２】
本発明の洗練された方法では、上記計算プログラムは、上記ステップiv)の比較で負荷要求が満たされない場合、上記リストから上記特定の寸法をもつ代わりの複合プルトゥルード型材を選択し、選択した複合プルトゥルード型材の負荷能力を計算し、計算した負荷能力を上記負荷構造の負荷要求と比較して、上記特定の寸法をもって上記負荷要求を満たす代替複合プルトゥルード型材を上記リストから選択し、この代替複合プルトゥルード型材を特定するデータを否定確認応答と一緒に、上記コンピュータからの上記肯定確認応答として送信する。この方法によれば、計算プログラムによって行われる設計は、負荷構造の負荷要求に対応し、かつこの負荷要求を満たすための選択複合プルトゥルード型材の寸法の再定義を含んでいる。
【００１３】
本発明による方法は、問題の負荷構造の種々の負荷条件、種々の固定および／または組立を定義するために計算プログラムを利用することを可能にし、データベースのリストに含まれる複合プルトゥルード型材と組み合わせて用いられる特定の固定の負荷能力を技術者が決定することを更に可能にする。従って、本発明の好ましい実施形態によれば、上記ステップi)は、静的システムの定義、上記負荷構造に加わる負荷の組み合わせの定義、単純支持または弾性支持、固定または取付けあるいは代替の蝶番またはヒンジ支持を含む上記負荷構造の支持の定義を含む複数のサブステップを更に備えている。
【００１４】
この実施形態は、負荷構造の設計において複合プルトゥルード型材と組み合わせて用いられる接着接合やボルト接合などの取付または他の要素と技術者が協働することを可能にする。従って、本発明の更なる実施形態では、上記データベースは、複合プルトゥルード型材と組み合わせて用いる固定の追加リストを更に有し、上記計算プログラムは、上記ステップiv)およびv)で決定された特定の複合プルトゥルード型材と組み合わせて上記追加リストの任意の固定の負荷能力を計算する。
【００１５】
負荷構造の決定と設計は、好ましくは、上記データベースが、接着接合またはボルト接合の補助リストを更に有し、上記計算プログラムが、これらの接合および／または上記追加リストの任意の固定と組み合わせて用いる任意の上記複合プルトゥルード型材の接着接合またはボルト接合の負荷能力を計算する。
【００１６】
本発明の方法は、好ましくは、上記データベースが、同じ全体的幾何学形状をもつ複合プルトゥルード型材のクラスタで編成された複合プルトゥルード型材の上記リストを更に有し、上記クラスタが、複合プルトゥルード型材の負荷能力が増加する順あるいは減少する順に整理して編成されている。
【００１７】
データベース内のリストのクラスタに複合プルトゥルード型材を編成することに代えて、ホームページ自体が、非クラスタ編成のデータベースに含まれる複合プルトゥルード型材のリストから、複合プルトゥルード型材をクラスタに編成できる編成プログラムを有してもよい。
【００１８】
本発明の特別な最適化の特徴によれば、上記計算プログラムは、上記ステップiv)における比較が負荷要求を満たさなかった場合、より高い負荷能力をもつ上記特定の複合プルトゥルード型材のクラスタから、代替の複合プルトゥルード型材を選択する。
【００１９】
本発明の方法は、好ましくは、追加的または択一的に、上記計算プログラムが、上記ステップiv)における比較が負荷要求を満たした場合、より低い負荷能力をもつ上記特定の複合プルトゥルード型材のクラスタから、代替の複合プルトゥルード型材を選択し、この特定の代替複合プルトゥルード型材からなる負荷構造の代替の負荷能力を計算し、計算した負荷能力を上記負荷構造の負荷要求と比較して、負荷要求が満たされているか否かを決定する一方、上記ステップv)は、ステップiv)における上記代替複合プルトゥルード型材による比較が負荷要求を満たしている場合、この代替複合プルトゥルード型材に関する肯定確認応答を、上記計算プログラムからホームページを経て送出し、あるいは、ステップiv)における上記代替複合プルトゥルード型材による比較が負荷要求を満たしていない場合、この代替複合プルトゥルード型材に関する肯定確認応答を、上記計算プログラムからホームページを経て送出しない。
【００２０】
本発明の方法は、好ましくは、追加的または択一的に、上記ステップv)における送出が、上記ステップiv)で決定された特定の負荷能力に関する情報を送出すること、および上記肯定確認応答あるいは上記否定確認応答とともに上記情報を出力することを更に含んでいる。
【００２１】
本発明の方法は、インターネットに情報を表示し、異なるホームページへのアクセスを可能にする技術などのそれ自体当該分野で周知の原理によって、更に洗練されてもよく、それによって、上述の確認応答、データおよび追加情報を含む関連情報を技術者に対して表示でき、オンラインでの寸法決定や設計および選択技術を改善し、本発明によって選択された複合プルトゥルード型材の注文や配達を促進することができる。
【００２２】
上述の選択された複合プルトゥルード型材の注文や配達の促進によれば、本発明の方法は、上記ステップvi)が、上記特定の複合プルトゥルード型材あるいは上記代替複合プルトゥルード型材からなる負荷構造の図面を出力することを更に含んでいる。
【００２３】
負荷構造を作るための選択された複合プルトゥルード型材の寸法決定、設計、注文および配達のオンライン統合は、次のようにして強化できる。即ち、上記特定の複合プルトゥルード型材あるいは上記代替複合プルトゥルード型材を上記ホームページから在庫管理プログラムへ通信し、この在庫管理プログラムは、上記特定の複合プルトゥルード型材あるいは上記代替複合プルトゥルード型材の在庫と配達時刻を検査し、在庫と配達時刻に関する情報を上記ホームページに返信する。これによって、技術者は、複合プルトゥルード型材を製造するメーカや工場に、配達時刻、在庫、価格、可能な値下げ等について、オンラインセットアップ時に問い合わせることができる。本発明の方法は、好ましくは、上記特定の複合プルトゥルード型材あるいは上記代替複合プルトゥルード型材を上記ホームページから簿記プログラムへ通信し、この簿記プログラムは、上記特定の複合プルトゥルード型材あるいは上記代替複合プルトゥルード型材の価格および値引きオプションを検査し、価格および値引きオプションに関する情報を上記ホームページに返信する。
【００２４】
本発明の複合プルトゥルード型材の選択および配達の方法は、上記負荷構造の寸法を決定する準備の測定ステップと負荷構造の負荷要求を決定する更なる準備のステップ、および上記特定の複合プルトゥルード型材または代替複合プルトゥルード型材から上記負荷構造を建設する最終のステップを更に含んでもよい。
【発明を実施するための最良の形態】
【００２５】
以下、本発明を図示の実施の形態により詳細に説明する。図１には、全体を参照番号１０で示すコンピュータが描かれ、このコンピュータは、表示面１４とマウス１６とキーボード１８が接続されたＣＰＵ(中央処理装置)１２を有する。このコンピュータ１０は、一般に、図１に示すようにインターネットに接続された従来のコンピュータであり、インターネットは、参照番号２０で示されている。インターネット２０は、サーバ２２にも接続され、このサーバ２２は、詳しくは後述するホームページ２４、計算プログラム２６および複合プルトゥルード型材の工場または他の供給者からの配達のために利用できる複合プルトゥルード型材のリストと更に通信する。コンピュータ１０は、上記型材工場から配達される１つまたはそれ以上の複合プルトゥルード型材から負荷構造を寸法決めし、設計する職務をもつ技術者によって操作される。
【００２６】
コンピュータ１０は、インターネット接続２０に直接接続されるか、アナログまたはディジタル(ＰＯＳＴ／ＩＳＤＮ)のモデムを介して直接サーバ２２に接続されるか、あるいは、インターネット接続を有するインターネット(ＬＡＮ)に接続される。
【００２７】
図２には、技術者などのユーザ３０が、複合プルトゥルード型材からなる負荷構造を寸法決めし、設計する目的で本発明の方法を用いる際の情報の流れが示されている。
【００２８】
ユーザ３０は、構造の寸法を入力するために、コンピュータ１０のキーボード１８とマウス１６を用い、データベース２８から特定の複合プルトゥルード型材の形状を選択するために、ホームページを用いる。
【００２９】
計算プログラム２６は、特定の複合プルトゥルード型材の寸法と選択に関する情報を、その複合プルトゥルード型材の特定の負荷能力、あるいは、技術者によって設計された特定の複合プルトゥルード型材からなる負荷構造の負荷能力を計算するために用いる。
【００３０】
データベース２８の複合プルトゥルード型材に関する情報は、型材の全体的幾何学形状および負荷能力にしたがって整理されるか、あるいは、計算プログラム２６が、複合プルトゥルード型材に関する情報を整理する分類ルーチンを有していてもよい。
【００３１】
計算プログラム２６は、技術者によって特定された負荷要求を、技術者によって設計された負荷構造から計算された特定の負荷能力と比較する。この比較により負荷要求が達成されたことが確証されれば、ホームページ２０は、肯定確認応答と対応する負荷構造のデータと特定の複合プルトゥルード型材に関するデータを出力する。この比較により負荷要求が達成されなかったことが確証されれば、計算プログラム２６は、リストから代替の複合プルトゥルード型材、または技術者によって選択された複合プルトゥルード型材よりも高い負荷能力をもつ複合プルトゥルード型材を選択するか、あるいは、別の寸法の複合プルトゥルード型材を選択して、選択した代替寸法をもつ複合プルトゥルード型材からなる構造の特定の負荷能力を再計算する。
【００３２】
計算プログラム２６が、技術者によって設計された負荷構造が負荷要求を満たすと決定すれば、ホームページ２４は、技術者３０に注文確認を送信し、この注文確認は、複合プルトゥルード型材からなる構造の配達に関する価格情報を含むことができる。
【００３３】
図３には、負荷構造のための複合プルトゥルード型材の選択および配達の動作のフローチャートが示されている。
【００３４】
技術者などのユーザは、ステップ５０で、コンピュータ１０のマウス１６およびキーボード１８を用いて、複合プルトゥルード型材からなる負荷構造の負荷要求を入力すべく、ホームページ２４にアクセスする。ユーザは、ステップ５２で、静的システムを定義すべくホームページ２４にアクセスし、ステップ５４で、負荷組み合わせを定義し、ステップ５６で、データベース２８から複合プルトゥルード型材を選択し、選択した型材の寸法をホームページに入力する。負荷構造は、１つまたはそれ以上の複合プルトゥルード型材からなるので、ユーザは、ステップ５８で、ステップ５２〜５６を繰り返すオプションを有する。ユーザが負荷構造の選択と寸法決めを完了すると、計算プログラム２６は、ステップ６０で、特定の負荷構造の負荷能力を計算する。ステップ６２で、特定の負荷構造の負荷能力が負荷要求を満たしているか否かを確証する目的で比較が行われる。ステップ６２で、負荷構造が負荷要求を満たしていると確証されたなら、計算プログラム２６はステップ６４に進み、計算結果がホームページに送信され、続いてステップ６６で、計算プログラム２６はホームページ２４に注文書を送信する。ステップ６８で、ユーザが複合プルトゥルード型材の工場あるいは他の配達元へ返信できるように、配達確認がホームページへ送信される。しかし、ステップ６２で、負荷構造が負荷要求を満たしていないと確証された場合、計算プログラム２６は、データベース２８から選択された形状の複合プルトゥルード型材を代替する寸法、あるいは、選択された複合プルトゥルード型材の別の寸法または選択された複合プルトゥルード型材の別の形状を選択し、負荷要求が満たされるまでステップ６０,６２,７２を繰り返し、その後、上述のようにステップ６４〜７０へ進むか、あるいは、複合プルトゥルード型材のどの寸法を用いても負荷要求が満たされなかった場合、ホームページ２４を介してユーザに警告を送る。ステップ６２の後、上述の開示と択一的に、計算プログラム２６は、ユーザが余りに重くて大きい負荷構造型材を選択して、金銭と資源の浪費になるのを防ぐべく検査するため、より低い負荷能力をもつ代替の型材の寸法や強度を選択する。
【００３５】
本発明の特別な技術的特徴によれば、静的システムを定義するステップ５２と負荷構造の負荷の組み合わせを定義するステップは、単純支持や懸垂支持、特定の取付または固定あるいは蝶番やヒンジなどの取付または固定の定義を含むことができる。本発明の方法の更なる実施形態によれば、特定の負荷構造のための特定の複合プルトゥルード型材の決定と選択は、選択された複合プルトゥルード型材と組み合わせて用いられる特定の固定具の決定および選択、および嵌合、接着接合、ボルト接合などによって確定される特定の接合または継手の負荷能力の決定によって変更されてもよい。従って、この代替または洗練された技術によれば、計算プログラムは、取付具のリストおよび／または加えて接着接合やボルト接合などの特定の接合又は継手のリストを含んでいる。
【００３６】
図４ａには、計算プログラム原型を含むパスワードで保護されたホームページが示されている。
【００３７】
図４ｂには、複合プルトゥルード型材の選択を含み、寸法に対応した図４ａのパスワードで保護されたホームページが示されている。
【００３８】
図４ｃには、異なる全体的幾何学的形状をもつ複合プルトゥルード型材からなるリストを含む図４ａのパスワードで保護されたホームページが示されている。
【００３９】
図４ｄには、異なる断面寸法をもつ複合プルトゥルード型材からなるリストを含む図４ａのパスワードで保護されたホームページが示されている。
【００４０】
図４ｅには、負荷構造の支持のコンピュータシミュレーションを含む図４ａのパスワードで保護されたホームページが示されている。
【００４１】
図４ｆには、負荷構造に加わる負荷のコンピュータシミュレーションを含む図４ａのパスワードで保護されたホームページが示されている。
【００４２】
図４ｇには、負荷構造に加わる負荷組合わせのコンピュータシミュレーションを含む図４ａのパスワードで保護されたホームページが示されている。
【００４３】
負荷構造要素または負荷構造の静力学的計算および寸法決定の一般的原理は、「直交荷重を受けるファイバーライン社製の連続梁の負荷能力の計算」と題された付録１に記載されている。さらに、付録２は、図４ａ〜図４ｇの表示面出力に示されたデンマーク語の英訳である。
【００４４】
付録１
「直交荷重を受けるファイバーライン社製の連続梁の負荷能力の計算」
【００４５】
梁の柱の長さの計算
柱の長さの計算は、プログラム２０を用いて行われる。柱の長さは、静的システムと直交果樹の分布に依存し、この例では、直交荷重は一定である。
【００４６】
梁内の応力の計算
梁内の応力は、プログラム２１を用いて求められる。応力は、梁の静的システム、横荷重および垂直荷重に依存する。このプログラムは、梁の撓みによる付加的な梁のモーメントを考慮に入れている。
【００４７】
梁の安定性
安定性は、梁に圧縮力Ｎが作用している場合に計算される。
【００４８】
梁の安定性は、設計マニュアルに示されているように計算される。計算式は、ＤＳ(デンマーク規格)４５６第１版に基づき、次のとおりである。
2006522390.tif 000003
2006522390.tif 000004
Ｎcr＝Ａ・σcr      柱効果を含む計算された曲げ能力
Ｎc＝Ａ・fc         柱効果を含まない計算された曲げ能力
Ｎel＝Ａ・σel      弾性力学理論による限界垂直力
2006522390.tif 000005
2006522390.tif 000006
Ｅ：弾性係数
Ｉ：慣性モーメント
2006522390.tif 000007
Ｎ≦Ｎcr      が成立する場合、梁は安定である。
【００４９】
梁の引張力
梁の引張力は、基本的に設計マニュアルに示されているように計算される。セ系マニュアルに示されているように、型材は、局部不安定が生じる前に引張力によって破壊すると仮定する。垂直力とモーメントによって生じる垂直引張応力は、慣用の数式を用いて弾性力学理論に基づいて計算される。型材の外縁部における最大応力(引張および圧縮)は、計算された対応する引張および圧縮応力よりも小さくなければならない。最大せん断応力は、せん断力をせん断面積で除して求められる。この最大せん断応力は、計算されたせん断強さよりも小さくなければならない。
【００５０】
プログラムは、垂直力から応力分布への影響を考慮しているので、応力は、プログラム２１を用いて求められる。
【００５１】
設計マニュアルに述べられたモーメント増加係数法は、理論的には、限界垂直力の下での撓み曲線が正弦曲線で、荷重がこの正弦曲線と同じ形である場合のみに適用できる。
【００５２】
上述のように、また、設計マニュアルの例に示されるように、最大せん断応力と最大垂直応力は同時に生じ、従って、この２つの応力に相互作用はないと仮定している。
【００５３】
型材は、傾動しないように固定されていると仮定する。
【００５４】
固定点および集中荷重が加わる箇所における本体(folding)の局部不安定に関する計算はされていない。
【００５５】
以上に基づいて、作用力Ｎ,Ｑ,Ｍが既知の場合、梁の断面における負荷能力に関する次の数式が得られる。Ｎは引張のとき正、圧縮のとき負と計算され、Ｍは、上面に載荷されるとき正と計算される。
【００５６】
断面積：Ａ
断面の(上縁および下縁の)抗モーメント：Ｗ1, Ｗ2
断面が中心線に関して対称である場合：Ｗ＝Ｗ1＝Ｗ2
上縁における引張応力σ1は、
σ1＝(Ｎ／Ａ)―(Ｍ／Ｗ1)            −ｆc≦σ1≦ｆt
但しｆcは、計算された材料の圧縮強さ、ｆtは、計算された材料の引張強さである。
【００５７】
垂直引張応力の利用係数をＵ1とすれば、
σ1≧０    の場合          Ｕ1＝|σ1|／ｆt
σ1≦０    の場合          Ｕ1＝|σ1|／ｆc
下縁における引張応力σ2は、
σ2＝(Ｎ／Ａ)＋(Ｍ／Ｗ2)            −ｆc≦σ2≦ｆt
但しｆcは、計算された材料の圧縮強さ、ｆtは、計算された材料の引張強さである。
【００５８】
垂直引張応力の利用係数をＵ2とすれば、
σ2≧０    の場合          Ｕ2＝|σ2|／ｆt
σ2≦０    の場合          Ｕ2＝|σ2|／ｆc
断面の垂直引張応力の利用係数Ｕを  Ｕ＝max(Ｕ1,Ｕ2)  とするとき、
条件    Ｕ≦１  が成立する場合、断面のせん断面積をＡkとすれば、
2006522390.tif 000008
但し、τdは、材料の計算されたせん断強さ
型材のせん断強さの利用係数Ｕｆは、Ｕf＝τmax／τd
条件    Ｕf≦１  が成立する。
【００５９】
付録２
付録２については、添付の図面の翻訳文に記載したので、重複を避けて記載しない。
【図面の簡単な説明】
【００６０】
【図１】本発明の方法を実施するためのコンピュータの図解的概略図である。
【図２】図１のコンピュータによる実施における情報の流れを示す図である。
【図３】本発明による負荷構造の複合プルトゥルード型材の負荷能力の達成を確立する構成図である。
【図４ａ】図４ａは、計算プログラム原型を含むパスワードで保護されたホームページの画面出力を示す図である。
【図４ｂ】図４ｂは、計算プログラム原型を含むパスワードで保護されたホームページの画面出力を示す図である。
【図４ｃ】図４ｃは、計算プログラム原型を含むパスワードで保護されたホームページの画面出力を示す図である。
【図４ｄ】図４ｄは、計算プログラム原型を含むパスワードで保護されたホームページの画面出力を示す図である。
【図４ｅ】図４ｅは、計算プログラム原型を含むパスワードで保護されたホームページの画面出力を示す図である。
【図４ｆ】図４ｆは、計算プログラム原型を含むパスワードで保護されたホームページの画面出力を示す図である。
【図４ｇ】図４ｇは、計算プログラム原型を含むパスワードで保護されたホームページの画面出力を示す図である。
【符号の説明】
【００６１】
１０  コンピュータ
１２  ＣＰＵ
１４  表示面
１６  マウス
１８  キーボード
２０  インターネット
２２  サーバ
２４  ホームページ
２６  計算プログラム
２８  データベース
３０  ユーザ
３２  測定
３４  入力データ
３８  選択された型材または代替型材のリスト
４０  計算結果
４４  構造／負荷要求
４８  注文確認
【図１】
2006522390.tif 000009
【図２】
2006522390.tif 000010
【図３】
2006522390.tif 000011
【図４ａ】
2006522390.tif 000012
【図４ｂ】
2006522390.tif 000013
【図４ｃ】
2006522390.tif 000014
【図４ｄ】
2006522390.tif 000015
【図４ｅ】
2006522390.tif 000016
【図４ｆ】
2006522390.tif 000017
【図４ｇ】
2006522390.tif 000018
【国際調査報告】
2006522390.tif 000019
2006522390.tif 000020